(57)【特許請求の範囲】
【請求項１】
電源供給手段から電源が供給され、赤外線リモコン信号を受信し、受信した前記赤外線リモコン信号を電気信号のリモコンコード信号に変換して出力するリモコン信号受信回路と、前記リモコンコード信号によりシステム機器の動作の制御を行うＣＰＵとを備えた赤外線リモートコントロール信号処理装置において、
セットおよびリセットの切り替え動作を行うことにより、前記電源供給手段から前記ＣＰＵおよび前記システム機器の主回路への電源の供給・遮断を行うラッチングリレーと、
前記電源供給手段から電源が供給され、前記リモコン信号受信回路から出力される前記リモコンコード信号が前記システム機器の電源のオン・オフを制御する電源リモコンコードであるか否かを判別するリモコンコード判別回路とを備え、
前記リモコンコード判別回路は、前記システム機器の電源がオフのときでも電源がオンのときでも、前記リモコンコード信号が前記電源リモコンコードであると判断した場合、前記ラッチングリレーをセット側に切り替えて、前記電源供給手段からの電源を前記ＣＰＵおよび前記主回路に供給させ、
前記ＣＰＵは、前記システム機器の電源がオンのとき、前記リモコン信号受信回路から前記電源リモコンコードと一致する前記リモコンコード信号を入力すると、前記ラッチングリレーをリセット側に切り替えて、前記電源供給手段から前記ＣＰＵおよび前記主回路への電源の供給を遮断させ、
前記ラッチングリレーのリセット動作はセット動作の後に実行される
ことを特徴とする赤外線リモートコントロール信号処理装置。
【請求項２】
前記ＣＰＵは、前記システム機器の電源がオンのとき、前記リモコン信号受信回路から出力される前記リモコンコード信号に基づき前記システム機器の動作の制御を行う
ことを特徴とする請求項１記載の赤外線リモートコントロール信号処理装置。
【請求項３】
前記リモコンコード判別回路から出力される制御信号に基づいて導通することにより、前記ラッチングリレーをセット側に切り替えるリレーセット用ドライバ回路と、前記ＣＰＵから出力される制御信号に基づいて導通することにより、前記ラッチングリレーをリセット側に切り替えるリレーリセット用ドライバ回路とを備えた
ことを特徴とする請求項１または請求項２記載の赤外線リモートコントロール信号処理装置。
【請求項４】
前記赤外線リモコン信号による前記システム機器の電源のオン・オフ制御のみならず、電源スイッチによってもオン・オフ制御可能に構成した
ことを特徴とする請求項１から請求項３のうちのいずれか１項記載の赤外線リモートコントロール信号処理装置。
【発明の詳細な説明】
【０００１】
【発明の属する技術分野】
この発明は、赤外線リモートコントロール信号により遠隔操作されるシステム機器における赤外線リモートコントロール信号処理装置に関するものである。
【０００２】
【従来の技術】
図４は、従来の赤外線リモートコントロール信号処理装置の構成を示すブロック図である。図４に示す赤外線リモコン信号処理装置では、システム機器の待機時（システム機器が稼働していない時）においては、ＡＣ電源１からの電源電圧は、リモートコントロール（以下、リモコンともいう。）回路用電源回路３からリモコン信号受信回路５およびＣＰＵ１０に供給されている。この状態において、リモコン信号送信回路１９が、赤外線リモコン信号を送信すると、リモコン信号受信回路５が、その赤外線リモコン信号を受信（受光）して、赤外線リモコン信号を電気信号のリモコンコードに変換し、そのリモコンコードをＣＰＵ１０に出力する。
【０００３】
ＣＰＵ１０は、リモコン信号受信回路５から出力されるリモコンコードを識別し、そのリモコンコードが当該システム機器の電源のオン・オフを制御するリモコン電源コードであると判断すれば、ＡＣ電源１と主回路用電源回路１１との間に設けられた制御スイッチ２０を制御して、ＡＣ電源１からの電源電圧を主回路用電源回路１１に供給させる。主回路用電源回路１１は、制御スイッチ２０を介してＡＣ電源１から供給される電源電圧をシステム機器の主回路１２に供給する。
【０００４】
このように、図４に示す赤外線リモコン信号処理装置では、システム機器の待機時には、主回路１２にＡＣ電源１の電源電圧が供給されないため、待機時における消費電力を抑制することができる。
【０００５】
図５は、特開平７−２６４６７４号公報に開示された別の従来の赤外線リモコン信号処理装置の構成を示すブロック図である。図５に示す赤外線リモコン信号処理装置では、システム機器の待機時においては、電源制御回路２２は、リモコン信号受信回路５用の電源回路２３を制御して、間欠的な電源電圧（電源は図示せず）をリモコン信号受信回路５に供給しており、リモコン信号受信回路５は、電源回路５から供給される間欠的な電源電圧によって間欠的に赤外線リモコン信号の受信動作を行っている。
【０００６】
リモコン信号送信回路１９は、一命令につき同じ内容の赤外線リモコン信号を複数回送信する。待機状態において、リモコン信号送信回路１９が、赤外線リモコン信号を送信すると、リモコン信号受信回路５は、その赤外線リモコン信号を受信（受光）して、その赤外線リモコン信号を電気信号のリモコンコードに変換し、そのリモコンコードをリモコン信号識別回路２１に出力する。
【０００７】
リモコン信号識別回路２１は、リモコン信号受信回路５から出力されるリモコンコードが電源リモコンコードかその他のリモコンコードかを識別し、電源リモコンコードのみ選択して電源制御回路２２に出力する。リモコン信号識別回路２１が電源リモコンコードを検出した場合、電源制御回路２２は、電源リモコンコードがリモコン信号識別回路２１に入力されている間、電源回路２３を制御して連続的な電源電圧をリモコン信号受信回路５に供給させる。リモコン信号受信回路５は、電源回路２３から連続的な電源電圧が供給されている間、赤外線リモコン信号を連続受信する。
【０００８】
電源リモコンコードがリモコン信号識別回路２１に入力されなくなると、電源制御回路２２は、再び間欠的な電源電圧をリモコン信号受信回路５に供給するように電源回路２３を制御する。待機状態に戻ると、リモコン信号受信回路５は、間欠的に赤外線リモコン信号の受信動作を行う。
【０００９】
このように、図５に示す赤外線リモコン信号処理装置では、リモコン信号送信回路１９から複数回送信される赤外線リモコン信号が送信されている間だけ、リモコン信号受信回路５が連続的な受信動作を行うように構成されているので、赤外線リモコン信号の入力がない場合は、リモコン信号受信回路５は、間欠受信動作を行うことにより消費電力を軽減することができる。
【００１０】
図６は、特開平９−３２２２８０号公報に開示されたさらに別の従来の赤外線リモコン信号処理装置の構成を示すブロック図である。図６に示す赤外線リモコン信号処理装置において、リモコン信号送信回路１９が、赤外線リモコン信号を送信すると、リモコン信号受信回路５は、その赤外線リモコン信号を受信（受光）して、赤外線リモコン信号を電気信号のリモコンコードに変換し、そのリモコンコードをパルスポジション復調器２４に出力する。
【００１１】
パルスポジション復調器２４は、リモコン信号受信回路５から出力されたリモコンコードを復調し、シリアルなビットデータに変換してリモコンコード判別回路６に出力する。リモコンコード判別回路６は、パルスポジション復調器２４から出力されるシリアルなビットデータのリモコンコードを判定する。
【００１２】
ＣＰＵインタフェースコントローラ２５は、短い時間に赤外線リモコン信号を制御用のＣＰＵ１０に通知するために、リモコンコード判別回路６から出力されるシリアルなビットデータのリモコンコードをパラレルなビットデータのリモコンコードに変換して、システム制御用のＣＰＵ１０に出力する。
【００１３】
このように、図６に示す赤外線リモコン信号処理装置は、システム制御用のＣＰＵ１０のＣＰＵサイクルに対して非常に長い時間を使って送られてくる赤外線リモコン信号を１ＣＰＵサイクル時間内にＣＰＵ１０が受け取ることができるようにしたものである。従って、ＣＰＵ１０のソフトウェアにより赤外線リモコンコードの判定を行わずに、ハードウェア回路により判断することができ、ＣＰＵ１０の処理負担を軽減することができる。
【００１４】
【発明が解決しようとする課題】
しかし、図４に示した赤外線リモコン信号処理装置では、リモコン信号受信回路５およびリモコン受信判別を行うＣＰＵ１０は、赤外線リモコン信号の有無にかかわらず、常に通電しているため、常時、赤外線リモコン信号を受信するための電力を消費していることになり、消費電力の抑制が十分ではなかった。
【００１５】
図５に示した赤外線リモコン信号処理装置では、リモコン信号受信回路５の消費電力を軽減するとともに、リモコン信号識別回路２１がリモコンコードを正確に識別するために、リモコン信号送信回路１９は、一つの動作を行うために赤外線リモコン信号を複数回送信する必要があるため、本来、一つの赤外線リモコン信号コードを送信する場合と比較して、消費電力が増大してしまう。
【００１６】
また、一つの赤外線リモコン信号コードでオン・オフするなどのトグル動作を行うシステム機器では、システム機器の待機状態においてリモコン信号受信回路５の受信動作が間欠的であれば、リモコン信号送信回路１９とリモコン信号受信回路５の伝送路間の状態によっては、誤った赤外線リモコン信号として受信されてしまう場合も生じ得る。
【００１７】
図６に示した赤外線リモコン信号処理装置では、システム制御用のＣＰＵ１０のリモコン信号受信判別処理を削減するために、ＣＰＵ１０でなくリモコン信号受信判別処理をハードウェア回路で行っていたが、このような構成では、システム機器に必要な赤外線リモコン信号のリモコンコードを全て識別するためのハードウェア回路を備える必要があるとともに、リモコンコードをＣＰＵ１０に出力するＣＰＵインタフェースコントロール２５が必要となり、赤外線リモコン信号処理装置の構成が煩雑となってしまう。
【００１８】
また、図６に示した赤外線リモコン信号処理装置では、ＣＰＵ１０でリモコンコードを識別しないが、システム機器の制御はＣＰＵ１０で行っているため、ＣＰＵ１０には常時電源を供給する必要があり、電力を無駄に消費してしまう。
【００１９】
この発明は、上記のような課題を解決するためになされたものであり、システム機器の待機状態時に、ＣＰＵを通電する必要なく、消費電力を抑制することができ、かつ、簡易な構成で実現することができる赤外線リモコン信号処理装置を得ることを目的とする。
【００２０】
【課題を解決するための手段】
本発明に係る赤外線リモートコントロール信号処理装置は、セットおよびリセットの切り替え動作を行うことにより、電源供給手段からＣＰＵおよびシステム機器の主回路への電源の供給・遮断を行うラッチングリレーと、電源供給手段から電源が供給され、リモコン信号受信手段から出力されるリモコンコード信号がシステム機器の電源のオン・オフを制御する電源リモコンコードであるか否かを判別するリモコンコード判別手段とを備え、リモコンコード判別手段は、システム機器の電源がオフのときでも電源がオンのときでも、リモコンコード信号が電源リモコンコードであると判断した場合、ラッチングリレーをセット側に切り替えて、電源供給手段からの電源をＣＰＵおよび主回路に供給させ、ＣＰＵは、システム機器の電源がオンのとき、リモコン信号受信回路から電源リモコンコードと一致するリモコンコード信号を入力すると、ラッチングリレーをリセット側に切り替えて、電源供給手段からＣＰＵおよび主回路への電源の供給を遮断させ、ラッチングリレーのリセット動作はセット動作の後に実行されることを特徴とする。
【００２２】
演算手段が、システム機器の電源がオンのとき、リモコン信号受信手段から出力されるリモコンコード信号に基づきシステム機器の動作の制御を行うように構成されていてもよい。
【００２３】
リモコンコード判別手段から出力される制御信号に基づいて導通することにより、ラッチングリレーをセット側に切り替えるリレーセット用ドライバ回路と、演算手段から出力される制御信号に基づいて導通することにより、ラッチングリレーをリセット側に切り替えるリレーリセット用ドライバ回路とを備えていてもよい。
【００２４】
赤外線リモコン信号によるシステム機器の電源のオン・オフ制御のみならず、電源スイッチによってもオン・オフ制御可能に構成されていてもよい。
【００２５】
【発明の実施の形態】
以下、この発明の実施の一形態を説明する。
実施の形態１．
図１は、この発明の実施の形態１による赤外線リモートコントロール信号処理装置を示すブロック図である。図において、ＡＣ電源（電源供給手段）１は、リモコン受信ユニット４、ＣＰＵ１０、および主回路１２に交流の電源電圧を供給するものである。ヒューズ２は、ＡＣ電源１とリモコン回路用電源回路３および主回路用電源回路１１との間に設けられ、過電流が流れた際に線路を遮断することによりシステム機器に過電流が流れるのを防ぐものである。リモコン回路用電源回路（電源供給手段）３は、ＡＣ電源１からの交流の電源電圧を直流の電源電圧（Ｖｃｃ２）に変換し、その電源電圧をリモコン受信ユニット４およびラッチングリレー７に供給するものである。
【００２６】
リモコン受信ユニット４は、リモコン送信機（図示せず）から送信される赤外線リモコン信号の受信および判別処理を行うものであり、このリモコン受信ユニット４は、リモコン信号受信回路（リモコン信号受信手段）５およびリモコンコード判別回路（リモコンコード判別手段）６から構成されている。
【００２７】
リモコン信号受信回路５は、赤外線リモコン信号を受信（受光）し、その赤外線リモコン信号を電気信号のリモコンコードに変換し、そのリモコンコードを増幅器（図示せず）にて増幅し、バンドパスフィルタ（図示せず）でリモコンコードに多重されている搬送波を除去した後（一般的に、赤外線を用いたリモコン送信機から送信される赤外線リモコン信号は、外来光などの影響を受けないように搬送波が多重されている）、リモコンコードを波形整形する。リモコンコード判別回路６は、リモコン信号受信回路５から出力されるリモコンコード信号１４に基づき、システム機器の電源のオン・オフを制御する電源リモコンコードを判別し、この電源リモコンコードが入力された場合、制御信号をリレーセット用ドライバ回路８に出力する。
【００２８】
ラッチングリレー７は、ＡＣ電源１と主回路用電源回路１１との間に設けられ、セットおよびリセットの切り替え動作を行うことにより、ＡＣ電源１の電源電圧の主回路用電源回路１１への供給・遮断を制御する制御スイッチの役割を果たすものである。リレーセット用ドライバ回路８は、リモコンコード判別回路６から出力される制御信号に基づいて導通することにより、ラッチングリレー７のセット側の切り替えを行うものである。リレーリセット用ドライバ回路９は、ＣＰＵ１０から出力される制御信号に基づいて導通することにより、ラッチングリレー７のリセット側の切り替えを行うものである。
【００２９】
ＣＰＵ（演算手段）１０は、リモコン信号受信回路５から出力されるリモコンコード信号１４を判別する処理を行うとともに、各種制御信号１５を主回路１２とやり取りすることによって、主回路１２の動作の制御を行うものである。主回路用電源回路（電源供給手段）１１は、ＡＣ電源１からの交流の電源電圧を直流の電源電圧（Ｖｃｃ１）に変換し、その電源電圧をＣＰＵ１０および主回路１２に供給するものである。主回路１２は、当該赤外線リモコン信号処理装置におけるシステム機器の実際の動作を行う部分である。ダイオード１３は、ラッチングリレー７の電源電圧供給側とドライバ回路８，９側との間に設けられ、ラッチングリレー７のコイル電源遮断時に発生する逆電圧を防止するものである。
【００３０】
次に、動作について説明する。
図２は、この発明の実施の形態１による赤外線リモコン信号処理装置の動作を説明するためのタイミング図である。システム機器の待機状態（システム機器の電源のオフ状態）においては、リモコン回路用電源回路３は、ＡＣ電源１からの電源電圧（Ｖｃｃ２）をリモコン受信ユニット４（リモコン信号受信回路５およびリモコンコード判別回路６）およびラッチングリレー７に供給している。一方、主回路用電源回路１１は、ラッチングリレー７がリセット側に切り替えられており、ＡＣ電源１と遮断されているため、電源電圧をＣＰＵ１０および主回路１２に供給していない。
【００３１】
このような待機状態において、リモコン送信機が、赤外線リモコン信号を送信すると、リモコン受信ユニット４のリモコン信号受信回路５が、その赤外線リモコン信号を受信（受光）して、赤外線リモコン信号を電気信号のリモコンコード信号１４に変換し、そのリモコンコード信号１４をリモコンコード判別回路６およびＣＰＵ１０に出力する。
【００３２】
リモコンコード判別回路６は、リモコンコード信号１４を入力すると、リモコンコード信号１４が電源リモコンコード（図２中、電源コード）であるか否かを判別する。ここで、電源リモコンコードであるか否かの判別は、予めリモコンコード判別回路６に電源リモコンコードを設定しておき、リモコンコード判別回路６によって、入力されたリモコンコード信号が電源リモコンコード信号と一致するか否かにより行われる。
【００３３】
リモコンコード判別回路６は、リモコンコード信号１４が電源リモコンコードであると判断した場合は、一定時間、Ｈレベルの制御信号をリレーセット用ドライバ回路８に出力する。尚、この制御信号の一定時間（パルス幅）は、ラッチングリレー７のセット時間に必要な保持時間である。
【００３４】
リレーセット用ドライバ回路８がリモコンコード判別回路６から一定時間の制御信号を受けると、リレーセット用ドライバ回路８のトランジスタが導通状態となって、ラッチングリレー７のリレーセット用ドライバ回路８側の電位がＬレベルとなる。ラッチングリレー７は、リレーセット用ドライバ回路８側の電位がＬレベルとなると、セット側に切り替わり、ＡＣ電源１と主回路用電源回路１１間を導通させる。ラッチングリレー７が導通すると、ＡＣ電源１からの電源電圧が主回路用電源回路１１に供給され、その結果、ＣＰＵ１０および主回路１２が通電される。
【００３５】
主回路１２は、ＡＣ電源１の電源電圧が通電されると、オフ期間からオン期間に切り替わり、また、ＣＰＵ１０は、初期設定を行った後、動作期間に移行する。ＣＰＵ１０が動作期間に移行すると、システム機器は稼働状態（システム機器の電源のオン状態、通常動作状態）となる。
【００３６】
因みに、待機状態において、電源リモコンコード以外のリモコンコードの赤外線リモコン信号が送信された場合は、リモコンコード判別回路６は、制御信号をリレーセット用ドライバ回路８に出力しないため、ラッチングリレー７がセット側に切り替えられず、システム機器が稼働状態とはならない。
【００３７】
システム機器が稼働状態に移行した後、リモコン送信機から電源リモコンコード以外のリモコンコードの赤外線リモコン信号が送信されると、リモコン信号受信回路５は、リモコンコード信号１４をＣＰＵ１０に出力する。尚、このとき、リモコン信号受信回路５は、リモコンコード信号１４をリモコンコード判別回路６にも出力しているが、電源リモコンコード以外であれば、リモコンコード判別回路６は制御信号を出力しないので、影響を与えない。
【００３８】
ＣＰＵ１０は、リモコン信号受信回路５から出力されたリモコンコード信号１４を入力すると、そのリモコンコード信号１４に応じた各種制御信号１５を主回路１２に出力することにより主回路１２の動作を制御する。
【００３９】
システム機器の稼働状態中に、再度、リモコン送信機から電源リモコンコードの赤外線リモコン信号が送信されると、ＣＰＵ１０は、リモコン信号受信回路５を介してその電源リモコンコードのリモコンコード信号１４を入力する。電源リモコンコードのリモコンコード信号１４が入力されると、ＣＰＵ１０は、一定時間のＨレベルの制御信号をリレーリセット用ドライバ回路９に出力する。尚、この制御信号の一定時間（パルス幅）も、ラッチングリレー７のセット時間に必要な保持時間である。
【００４０】
リレーリセット用ドライバ回路９がＣＰＵ１０から一定時間の制御信号を受けると、リレーリセット用ドライバ回路９のトランジスタが導通状態となって、ラッチングリレー７のリレーリセット用ドライバ回路９側の電位がＬレベルとなる。ラッチングリレー７は、リレーリセット用ドライバ回路９側の電位がＬレベルとなると、リセット側に切り替わり、ＡＣ電源１と主回路用電源回路１１間を遮断する。ラッチングリレー７が遮断すると、ＡＣ電源１の電源電圧の主回路用電源回路１１への供給も遮断され、その結果、主回路１２がオフ期間に切り替わるとともに、ＣＰＵ１０も待機状態に移行する。
【００４１】
尚、稼働状態中に電源リモコンコードの赤外線リモコン信号が送信された場合、その電源リモコンコード信号が、リモコン信号受信回路５からＣＰＵ１０に出力されるとともにリモコンコード判別回路６にも出力されるので、リモコンコード判別回路６がリレーセット用ドライバ回路８に制御信号を出力するが、リモコンコード判別回路６の制御信号の出力後直ちに、ＣＰＵ１０がリレーリセット用ドライバ回路９に制御信号を出力するため、リモコンコード判別回路６からの制御信号は、ラッチングリレー７のリセット動作に影響を及ぼすものではない。
【００４２】
以上のように、この実施の形態１によれば、システム機器を待機状態から稼働状態に切り替える際の電源リモコンコードの識別処理を、ＣＰＵ１０でなくリモコンコード判別回路６によって行い、リモコンコード判別回路６が電源リモコンコードを検出すると、システム機器を稼働状態に切り替えるように構成したので、システム機器の待機状態時に、ＣＰＵ１０を通電する必要がなくなり、待機状態時の消費電力を最小限（リモコン受信ユニット４などの消費電力）に抑制することができる。
【００４３】
また、リモコンコード判別回路６は、全てのリモコンコードを判別するのではなく、電源リモコンコードのみ判別するように構成したので、電源リモコンコードを判別するのみに対応した回路構成とすることができ、その結果、赤外線リモコン信号処理装置の回路構成を簡略化することができるとともに、待機時のリモコンコード判別回路６自体の消費電力を抑制することができる。
【００４４】
また、システム機器を稼働状態から待機状態に切り替える際の電源リモコンコードの識別処理を、ＣＰＵ１０で行うように構成したので、システム機器の稼働時に設定された種々の設定値を格納しておくメモリなどの記憶手段を、ＣＰＵ１０にて一括管理することができるとともに、ＣＰＵ１０が処理中にもかかわらずシステム機器が待機状態に移行する（システム機器の電源がオフとなる）のを防止することができる。
【００４５】
さらに、稼働状態時においては、ＣＰＵ１０によって、赤外線リモコン信号の受信処理を行うので、受信したリモコンコード信号１４に対するシステム機器の処理の応答速度を早くすることができる。
【００４６】
尚、上記実施の形態１では、電源制御スイッチとしてラッチングリレー７を用いた場合について説明したが、これに限るものではなく、半導体スイッチング素子などに置き換えることも可能である。また、待機中の消費電力を小さくすることができるので、リモコン回路用電源回路３の代わりに、二次電池やバックアップ回路を含めた太陽電池などを利用することも可能である。
【００４７】
実施の形態２．
図３は、この発明の実施の形態２による赤外線リモコン信号処理装置の構成を示すブロック図である。図３は、リモコンによる電源制御の構成のみならず、手動による電源制御の構成も示したものである。図３に示すように、ＯＲ回路１６は、一方の入力端子がリモコンコード判別回路６と接続され、他方の入力端子がインバータ回路１７を介して電源スイッチ１８と接続され、また、出力端子がリレーセット用ドライバ回路８と接続されている。また、インバータ回路１７および電源スイッチ１８の接続点とリモコン回路用電源回路３の電源電圧（Ｖｃｃ２）供給側とが接続されている。さらに、ＯＲ回路１６およびインバータ回路１７の接続点とＣＰＵ１０とが接続され、ＣＰＵ１０によってインバータ回路１７の出力側の電位レベルを監視可能に構成されている。その他の構成については、上記図１で説明したものと同様であるため、重複説明を省略する。
【００４８】
待機中において、電源スイッチ１８がオンすると、インバータ回路１７の入力はＬレベルとなり、ＯＲ回路１６にはＨレベルが入力される。従って、リレーセット用ドライバ回路８の入力がＨレベルとなり、ラッチングリレー７は、セット側に切り替えられ、主回路用電源回路１１にＡＣ電源１からの電源電圧が供給されてシステム機器が稼働状態となる。
【００４９】
また、稼働状態において、電源スイッチ１８がオフされた場合には、インバータ回路１７の入力がＨレベルとなり、インバータ回路１７の出力がＬレベルとなる。ＣＰＵ１０は、インバータ回路１７の出力側の電位レベルを監視しており、その電位レベルがＬレベルになったと判断すると、リレーリセット用ドライバ回路９に制御信号を出力して、ラッチングリレー７をリセット側に切り替え、システム機器を待機状態にする。
【００５０】
このように、この実施の形態２によれば、赤外線リモコン信号によるシステム機器の電源のオン・オフ制御のみならず、電源スイッチ１８によってもオン・オフ制御可能に構成したので、手動によっても電源のオン・オフ制御を行うことができる。
【００５１】
【発明の効果】
以上のように、本発明によれば、セットおよびリセットの切り替え動作を行うことにより、電源供給手段からＣＰＵおよびシステム機器の主回路への電源の供給・遮断を行うラッチングリレーと、電源供給手段から電源が供給され、リモコン信号受信手段から出力されるリモコンコード信号がシステム機器の電源のオン・オフを制御する電源リモコンコードであるか否かを判別するリモコンコード判別手段とを備え、リモコンコード判別手段は、システム機器の電源がオフのときでも電源がオンのときでも、リモコンコード信号が電源リモコンコードであると判断した場合、ラッチングリレーをセット側に切り替えて、電源供給手段からの電源をＣＰＵおよび主回路に供給させ、ＣＰＵは、システム機器の電源がオンのとき、リモコン信号受信回路から電源リモコンコードと一致するリモコンコード信号を入力すると、ラッチングリレーをリセット側に切り替えて、電源供給手段からＣＰＵおよび主回路への電源の供給を遮断させ、ラッチングリレーのリセット動作はセット動作の後に実行されるように構成されているので、システム機器の待機状態時に、ＣＰＵに通電する必要がなくなり、待機状態時の消費電力を最小限に抑制することができるという効果を奏する。また、システム機器の稼働時に設定された種々の設定値を格納しておくメモリなどの記憶手段を、ＣＰＵにて一括管理することができるとともに、ＣＰＵが処理中にもかかわらずシステム機器が待機状態に移行するのを防止することができるという効果を奏する。
【００５２】
また、リモコンコード判別手段は、全てのリモコンコードを判別するのではなく、電源リモコンコードのみ判別するので、電源リモコンコードを判別するのみに対応した回路構成とすることができ、その結果、赤外線リモコン信号処理装置の回路構成を簡略化することができるとともに、待機時のリモコンコード判別手段自体の消費電力を抑制することができるという効果を奏する。また、制御スイッチがラッチングリレーで構成されているので、簡易構成でオン・オフスイッチを実現することができる。
【００５４】
本発明によれば、演算手段が、システム機器の電源がオンのとき、リモコン信号受信手段から出力されるリモコンコード信号に基づきシステム機器の動作の制御を行うように構成されているので、リモコンコードに対するシステム機器の処理の応答速度を早くすることができるという効果を奏する。
【００５６】
請求項５記載の発明によれば、赤外線リモコン信号によるシステム機器の電源のオン・オフ制御のみならず、電源スイッチによってもオン・オフ制御可能に構成したので、手動によっても電源のオン・オフ制御を行うことができるという効果を奏する。
【図面の簡単な説明】
【図１】  この発明の実施の形態１による赤外線リモートコントロール信号処理装置を示すブロック図である。
【図２】  この発明の実施の形態１による赤外線リモートコントロール信号処理装置の動作を説明するためのタイミング図である。
【図３】  この発明の実施の形態２による赤外線リモートコントロール信号処理装置を示すブロック図である。
【図４】  従来の赤外線リモートコントロール信号処理装置の構成を示すブロック図である。
【図５】  別の従来の赤外線リモートコントロール信号処理装置の構成を示すブロック図である。
【図６】  さらに別の従来の赤外線リモートコントロール信号処理装置の構成を示すブロック図である。
【符号の説明】
１  ＡＣ電源（電源供給手段）
３  リモコン回路用電源回路（電源供給手段）
５  リモコン信号受信回路（リモコン信号受信手段）
６  リモコンコード判別回路（リモコンコード判別手段）
７  ラッチングリレー（制御スイッチ）
１０  ＣＰＵ（演算手段）
１１  主回路用電源回路（電源供給手段）
１２  主回路
【図１】
0003766243.tif 000002
【図２】
0003766243.tif 000003
【図３】
0003766243.tif 000004
【図４】
0003766243.tif 000005
【図５】
0003766243.tif 000006
【図６】
0003766243.tif 000007